(57)【要約】【課題】周囲に音漏れすることなく、効率的に音声を出力することが可能なスピーカ内蔵シートを提供することを目的とする。【解決手段】スピーカ内蔵シートは、音の透過性に優れたメッシュ状表皮部材４および音の遮音性に優れた遮音部材５と、スピーカ６Ｒ，Ｌとを備え、メッシュ状表皮部材４と遮音部材５とは撓み可能に形成されており、メッシュ状表皮部材４と遮音部材５とで内部空間Ｅを形成し、当該内部空間Ｅでスピーカ６Ｒ，Ｌを弾性部材により前後方向に移動可能に支持し、メッシュ状表皮部材４はスピーカ６Ｒ，６Ｌの前面側に配し、遮音部材５をスピーカ６Ｒ，６Ｌの背面側に配する。【選択図】        図１−１
2006271847.tif 000002
【特許請求の範囲】
【請求項１】
少なくとも着座部と背もたれ部とを有するスピーカ内蔵シートにおいて、
前記背もたれ部は、フレームによって支持され当該フレームを覆うように配置される、音の透過性に優れたメッシュ状表皮部材および音の遮音性に優れた遮音部材と、スピーカとを備え、
前記メッシュ状表皮部材と前記遮音部材とは撓み可能に形成されており、前記メッシュ状表皮部材と前記遮音部材とで内部空間を形成し、当該内部空間で前記スピーカを弾性部材により前後方向に移動可能に支持し、
前記メッシュ状表皮部材は前記スピーカの前面側に配され、前記遮音部材は前記スピーカの背面側に配されることを特徴とするスピーカ内蔵シート。
【請求項２】
前記弾性部材は、クッション部材またはバネ部材であることを特徴とする請求項１に記載のスピーカ内蔵シート。
【請求項３】
前記メッシュ状表皮部材は、立体編み物であることを特徴とする請求項１または請求項２に記載のスピーカ内蔵シート。
【請求項４】
前記スピーカは、前方用スピーカと後方用スピーカとからなり、
前記前方用スピーカの前面側に前記メッシュ状表皮部材を、その背面側に遮音部材を配置し、
前記後方用スピーカの前面側に前記メッシュ状表皮部材を、その背面側に遮音部材を配置したことを特徴とする請求項１〜請求項３のいずれか１つに記載のスピーカ内蔵シート。
【発明の詳細な説明】
【技術分野】
【０００１】
本発明は、スピーカ内蔵シートに関し、詳細には、音の透過性及び遮音性のあるシートにスピーカを内蔵したスピーカ内蔵シートに関する。
【背景技術】
【０００２】
従来の車両用シート（椅子）には、スピーカを内蔵したものが開示されている。かかるスピーカ内蔵シートとしては、以下のものが公知である。
【０００３】
（１）スピーカをウレタン等のクッション材の中に取り付けた構成、（２）シートの内部を中空状として、この内部をスピーカの共鳴用空間として利用する構成（例えば、特許文献１参照）、（３）フレームに取り付けられた表皮材に、スピーカを取り付ける構成（例えば、特許文献２参照）が公知である。
【０００４】
【特許文献１】実願平９−５７５５号
【特許文献２】特開２００２−４４７６８号公報
【発明の開示】
【発明が解決しようとする課題】
【０００５】
しかしながら、上記（１）の構成では、スピーカから発せられる音がウレタンで吸収されてしまうため、音の再生効率が悪いという問題がある。また、上記（２）の構成では、表皮材をキャビティーに用いているので、音や空気の透過性に乏しく、また、低域の音漏れが大きく周辺（後ろ等）にも音漏れがあり、さらに、音を出す部分まで音を誘導する課程で音の吸収があり、ある程度の音量で再生する場合には大きな音でスピーカをならす必要があるため、音の再生効率が悪い等の問題がある。また、上記（３）の構成では、表皮材を介してスピーカが取り付けられているので、音漏れが大きいという問題がある。
【０００６】
本発明は、上記課題に鑑みてなされたものであり、周囲に音漏れすることなく、効率的に音声を出力することが可能なスピーカ内蔵シートを提供することを目的とする。
【課題を解決するための手段】
【０００７】
上述した課題を解決し、目的を達成するために、本発明は、少なくとも着座部と背もたれ部とを有するスピーカ内蔵シートにおいて、前記背もたれ部は、フレームによって支持され当該フレームを覆うように配置される、音の透過性に優れたメッシュ状表皮部材および音の遮音性に優れた遮音部材と、スピーカとを備え、前記メッシュ状表皮部材と前記遮音部材とは撓み可能に形成されており、前記メッシュ状表皮部材と前記遮音部材とで内部空間を形成し、当該内部空間で前記スピーカを弾性部材により前後方向に移動可能に支持し、前記メッシュ状表皮部材は前記スピーカの前面側に配され、前記遮音部材は前記スピーカの背面側に配されることを特徴とする。
【発明を実施するための最良の形態】
【０００８】
以下に、この発明につき最良な実施の形態を詳細に説明する。なお、この実施の形態によりこの発明が限定されるものではなく、また、実施の形態の中で説明されている特徴の組み合わせのすべてが発明の解決手段に必要であるとは限らない。また、下記実施の形態における構成要素には、当業者が容易に想定できるものまたは実質的に同一のものが含まれる。
【０００９】
（実施の形態１）
図１は、実施の形態１に係るスピーカ内蔵シート１を説明するための図であり、図１−１は、実施の形態１に係るスピーカ内蔵シート１の概略の外観構成を示す図、図１−２は、図１−１の内部のフレーム構造を示す図、図１−３は、図１−１のＡ−Ａ断面を示す図、図１−４は、図１−１のＢ−Ｂ断面を示す図、図１−５は、図１−１のＣ−Ｃ断面を示す図である。
【００１０】
図１−１に示すように、実施の形態１に係るスピーカ内蔵シート１は、着座部２と背もたれ部３とで構成されている。背もたれ部３は、前面側が音の透過性に優れたメッシュ状表皮部材（メッシュシートとも称する）４で構成されており、側面側および背面側は、音の遮音性に優れた遮音部材（遮音シートとも称する）５で構成されている。スピーカ内蔵シート１の内部には、Ｒ，Ｌ用のスピーカ６Ｒ、６Ｌが収容される。スピーカ６Ｒ、６Ｌは、後述するように、弾性部材により前後方向に移動可能に支持されている。
【００１１】
メッシュ状表皮部材４および遮音部材５は、図１−２に示すフレーム７によって支持されており、フレーム７を覆うように形成されている。メッシュ状表皮部材４としては、例えば、東レ（Ｒ）「フュージョン（Ｒ）」等の立体編み物（ｈｔｔｐ：／／ｗｗｗ１．ｅｘ．ａｓａｈｉ−ｋａｓｅｉ．ｃｏ．ｊｐ／ｔｘｐｔ／ｔｘｍ／ｊａ／ｆｕｓｉｏｎ／ｌａｙｅｒ１／ｆｅａｔｕｒｅ＿ｊａ．ｈｔｍｌ）を使用することができる。かかる立体編み物は、上部ハニカムメッシュと下部ハニカムメッシュをつなぐ弓状の連結糸がバネの役割を果たし、優れた体圧分散性を維持することができる。また、メッシュ組織や連結糸との隙間を空気が自由に通り抜けることで良好な通気性を得ることができる。遮音部材５としては、例えば、遮音性の布、皮、ポリエステルの不織布、人工皮革等を使用することができる。メッシュ状表皮部材４および遮音部材５は撓み可能に形成されている。
【００１２】
フレーム７は、側面部７１、側面部７１を連結するパイプ７２ａ，７２ｂ，７２ｃ、スピーカ６Ｒ、６Ｌの上下方向を規制するための略Ｌ字形状を呈する一対のスピーカ規制部７３等を備えている。
【００１３】
図１−３〜図１−５に示すように、メッシュ状表皮部材４と遮音部材５とで、大きな内部空間Ｅ（＝中空）を形成している。この内部空間Ｅには、スピーカ６Ｒ，６Ｌが配置される。このように、内部空間Ｅとして大きな空間を形成しているので、大きなスピーカを配置することができる。スピーカ６Ｒ，６Ｌは、音を放音するスピーカユニット６１と、スピーカユニット６１を収容する樹脂製の柔軟性のあるスピーカボックス６２とで構成されている。
また、スピーカ６Ｒ，６Ｌはメッシュ状表皮部材４が過剰に撓んだ際に接触しないようにできるだけ背もたれ部３側に配置してもよい。
【００１４】
具体的には、スピーカ６Ｒ，６Ｌは、フレーム７の側面部７１，パイプ７２ａ，およびスピーカ規制部７３に挟まれる空間に配置され、その上下方向がスピーカ規制部７３とパイプ２ｃとにより規制される。スピーカ規制部７３の大きさは、配置するスピーカの大きさによって選択される。また、スピーカ６Ｒ，６Ｌの側面方向は、スピーカ６Ｒ，６Ｌの両側面とフレーム７の側面部７１およびスピーカ規制部７３間に配される、弾性部材であるクッション部材８によって支持されている。また、スピーカ６Ｒ，６Ｌの前後方向は、メッシュ状表皮部材４および遮音部材５とスピーカ６Ｒ，６Ｌの前面・背面間に配されるクッション部材８によって移動可能に支持されている。
【００１５】
上記構成のスピーカ内蔵シート１において、使用者がスピーカ内蔵シート１に着座し、背もたれ部３に背をもたれると、メッシ状表皮部材４が撓み、これによりクッション部材８が弾性変形し、クッション部材８の変形に伴ってスピーカ６Ｒ，６Ｌの位置が後方に移動するため、使用者の体にスピーカ６Ｒ，６Ｌが当たることがなく、快適な座り心地となる。また、スピーカ自体への衝撃を緩和することができるため、故障の発生を軽減できる。
【００１６】
以上説明したように、実施の形態１に係るスピーカ内蔵シートの背もたれ部３は、フレーム７によって支持され当該フレーム７を覆うように配置される、音の透過性に優れたメッシュ状表皮部材４および音の遮音性に優れた遮音部材５と、スピーカ６Ｒ，Ｌとを備え、メッシュ状表皮部材４と遮音部材５とは撓み可能に形成されており、メッシュ状表皮部材４と遮音部材５とで内部空間Ｅを形成し、当該内部空間Ｅでスピーカ６Ｒ，Ｌを弾性部材であるクッション部材８により前後方向に移動可能に支持し、メッシュ状表皮部材４はスピーカ６Ｒ，６Ｌの前面側に配し、遮音部材５をスピーカ６Ｒ，６Ｌの背面側に配することとしたので、周囲に音漏れすることなく、効率的に音声を出力することができる。
【００１７】
付言すると、本実施の形態では、ウレタン等のクッションを使用していないので大きな内部空間Ｅを形成でき、また、メッシュ状表皮部材４が撓むとスピーカ６Ｒ，６Ｌが撓むため、大きなスピーカを配置することができる。また、背もたれ部３の前面側には、音の透過性に優れたメッシュ状表皮部材４を配置しているため、空気の抜け・音の抜けがよく、背面側に遮音部材５を配置しているため遮音性が高く周辺への音漏れが少なく、着座者には、小音量でも大きな音で聞くことができ、効率的に音声を出力することができる。
【００１８】
（実施の形態２）
実施の形態２に係るスピーカ内蔵シートを説明する。実施の形態１では、スピーカ６Ｒ、６Ｌをクッション部材８で前後方向に移動可能に支持することとしたが、本発明はこれに限られるものではない。実施の形態２では、スピーカ６Ｒ，６Ｌを弾性部材であるバネ部材で前後方向に移動可能に支持する構成について説明する。図２は図１−１のＢ−Ｂ断面を示す図である。
【００１９】
図２において、フレーム７の側面部７１の内側およびスピーカ６Ｒ，６Ｌの両側面には不図示のバネ受けが形成されている。また、バネ部材１０にはその両端に不図示のリング部が形成されている。バネ部材１０の両端のリング部をフレーム７の側面部７１およびスピーカ６Ｒ，６Ｌのバネ受けに取り付け、バネ部材１０により、スピーカ６Ｒ，６Ｌを側面方向から前後方向に移動可能に支持する。スピーカ６Ｒ，６Ｌの前面・背面とメッシュ状表皮部材４および遮音部材５間にはクッション部材８が配されている。
【００２０】
実施の形態２のスピーカ６Ｒ、６Ｌの支持構造によれば、バネ部材１０でスピーカ６Ｒ、６Ｌを前後方向に移動可能に支持することとしたので、上述のスピーカ規制部７３が不要となり、フレーム７を低コストかつ簡単な構成とすることができる。なお、内部空間Ｅにおいて、スピーカ６Ｒ、６Ｌを弾性部材により前後方向に移動可能に支持する構成は、上記実施の形態１，２の構成に限定されるものではなく、各種の支持構造が考えられる。
【００２１】
（実施の形態３）
実施の形態３に係るスピーカ内蔵シートを説明する。実施の形態３にかかるスピーカ内蔵シートは、背もたれ部３に前方用スピーカ２０Ｒ，２０Ｌと、後方用スピーカ２１Ｒ，２１Ｌとを設けた構成である。
【００２２】
図３は、実施の形態３に係るスピーカ内蔵シート１を説明するための図であり、図３−１はその前方から見た斜視図、図３−２はその後方から見た斜視図、図３−３は図３−１のＤ−Ｄ断面を示す図である。
【００２３】
図３−１および図３−２において、実施の形態３に係るスピーカ内蔵シート１は、背もたれ部３に、前方用スピーカ２０Ｒ，２０Ｌと、前方用スピーカ２０Ｒ，２０Ｌの下方に配される後方用スピーカ２１Ｒ，２１Ｌとを内蔵している。前方用スピーカ２０Ｒ，２０Ｌは、スピーカ内蔵シート１の着座者が音声を聞くために使用され、後方用スピーカ２１Ｒ，２１Ｌは、スピーカ内蔵シート１の後ろに座る者が音声を聞くために使用される。前方用スピーカ２０Ｒと後方用スピーカ２１Ｒ、および前方用スピーカ２１Ｒと後方用スピーカ２１Ｌは、それぞれ一体構造としても良く、また、別体に構成することにしても良い。
【００２４】
図３−３に示すように、前方用スピーカ２０Ｒ，２０Ｌの前面側（前方側）には、メッシュ状表皮部材４が配されており、その背面側（後方側）には遮音部材５が配されている。また、後方用スピーカ２１Ｒ，２１Ｌの前面側（前方側）には、メッシュ状表皮部材４が配されており、その背面側（後方側）には遮音部材５が配されている。前方用スピーカ２０Ｒ，２０Ｌおよび後方用スピーカ２１Ｒ，２１Ｌの支持構造は、実施の形態１および２と同様な構成とすることができるので、その図示および説明は省略する。
【００２５】
以上説明したように、実施の形態３によれば、背もたれ部３の内部に、前方用スピーカ２０Ｒ，２０Ｌと後方用スピーカ２１Ｒ，２１Ｌとを配置し、前方用スピーカ２０Ｒ，２０Ｌの前面側にメッシュ状表皮部材４をその背面側に遮音部材５を配置し、後方用スピーカ２１Ｒ，２１Ｌの前面側にメッシュ状表皮部材４をその背面側に遮音部材５を配置したので、スピーカ内蔵シート１の着座者は、前方用スピーカ２０Ｒ，２０Ｌで、スピーカ内蔵シート１の後方に座る者は後方用スピーカ２１Ｒ，２０Ｌでそれぞれ快適に音声を聞くことができる。
【産業上の利用可能性】
【００２６】
本発明に係るスピーカ内蔵シートは、車載用シート、リビング用シート、リラクセーション用シート（体感音響システム）等の各種シートに広く利用可能である。
【図面の簡単な説明】
【００２７】
【図１−１】実施の形態１に係るスピーカ内蔵シートの概略の外観構成を示す図である。
【図１−２】図１−１の内部のフレーム構造を示す図である。
【図１−３】図１−１のＡ−Ａ断面を示す図である。
【図１−４】図１−１のＢ−Ｂ断面を示す図である。
【図１−５】図１−１のＣ−Ｃ断面を示す図である。
【図２】実施の形態２に係るスピーカ内蔵シートを説明するための図であり、図１−１のＢ−Ｂ断面を示す図である。
【図３−１】実施の形態３に係るスピーカ内蔵シートを説明するための図であり、実施の形態３に係るスピーカ内蔵シートを前方から見た斜視図である。
【図３−２】実施の形態３に係るスピーカ内蔵シートを説明するための図であり、実施の形態３に係るスピーカ内蔵シートを後方から見た斜視図である。
【図３−３】図３−１のＤ−Ｄ断面を示す図である。
【符号の説明】
【００２８】
１  スピーカ内蔵シート
２  着座部
３  背もたれ部
４  メッシュ状表皮部材
５  遮音部材
６Ｒ，６Ｌ  スピーカ
７  フレーム
８  クッション部材
１０  バネ部材
２０Ｒ，２０Ｌ  前方用スピーカ
２１Ｒ，２１Ｌ  後方用スピーカ
７１  側面部
７２ａ，７２ｂ，７２ｃ  パイプ
７３  スピーカ規制部
【図１−１】
2006271847.tif 000003
【図１−２】
2006271847.tif 000004
【図１−３】
2006271847.tif 000005
【図１−４】
2006271847.tif 000006
【図１−５】
2006271847.tif 000007
【図２】
2006271847.tif 000008
【図３−１】
2006271847.tif 000009
【図３−２】
2006271847.tif 000010
【図３−３】
2006271847.tif 000011